(57)【要約】【課題】  装飾表示部を活用して利用者の関心や注意を促すにあたり、警報または報知情報の判別性や識別性を向上させることが可能な車両用表示装置を提供する。【解決手段】  計測情報を表示する第１の表示部１と、発光により報知情報または警報情報を表示する第２の表示部２と、発光により装飾表示をなす装飾表示部３とを備え、第２の表示部２が発光色の異なる複数の発光表示部２５でなり、装飾表示部３が発光表示部２５の発光色のうち複数の発光色に対応する複数色で発光可能に構成され、装飾表示部３の発光色を発光表示部２５の発光色に応じて変化させる。【選択図】  図１
2005331493.tif 000002
【特許請求の範囲】
【請求項１】
計測情報を表示する第１の表示部と、
発光により報知情報または警報情報を表示する第２の表示部と、
発光により装飾表示をなす装飾表示部とを備え、
前記第２の表示部が発光色の異なる複数の発光表示部でなり、
前記装飾表示部が前記発光表示部の発光色のうち少なくとも２つの発光色に対応する複数の色で発光可能に構成され、
前記装飾表示部の発光色を前記発光表示部の発光色に応じて変化させることを特徴とする車両用表示装置。
【請求項２】
前記第２の表示部が第１の発光色で発光する複数の発光表示部を含み、これら第１の発光色で発光する複数の発光表示部が同時に発光するとき、前記装飾表示部が前記第１の発光色に対応した発光色で点滅発光することを特徴とする請求項１記載の車両用表示装置。
【請求項３】
前記第１の発光色で同時に発光する前記発光表示部の数に応じて前記装飾表示部の点滅周期が変化することを特徴とする請求項２記載の車両用表示装置。
【請求項４】
発光色の異なる前記発光表示部が同時に発光するとき、前記装飾表示部の発光色を前記発光表示部の発光色に応じて切り替えることを特徴とする請求項１記載の発光表示装置。
【請求項５】
前記第２の表示部が第１の発光色で発光する複数の第１の発光表示部と前記第１の発光色とは異なる第２の発光色で発光する複数の第２の発光表示部とを含み、複数の前記第１の発光表示部と複数の前記第２の発光表示部とが同時に発光するとき、前記装飾表示部の発光色を前記第１の発光色と前記第２の発光色に応じて切り替えると共に点滅発光することを特徴とする請求項１記載の車両用表示装置。
【請求項６】
音を出力する聴覚情報出力手段をさらに備え、前記音の出力を前記装飾表示部の点滅に連動させることを特徴とする請求項２または請求項３または請求項５のうち何れか一つに記載の車両用表示装置。
【請求項７】
前記装飾表示部がその表面で光を反射することにより前記複数の色で発光する反射体からなることを特徴とする請求項１記載の発光表示装置。
【請求項８】
前記反射体が立体構造物からなることを特徴とする請求項７記載の発光表示装置。
【発明の詳細な説明】
【技術分野】
【０００１】
本発明は、例えば自動車に搭載される計器のごとき車両用表示装置に関し、特に計測値表示部と、発光により装飾表示をなす装飾表示部とを備える車両用表示装置に関するものである。
【背景技術】
【０００２】
この種の車両用表示装置として、例えば下記特許文献１記載のものが知られている。この車両用表示装置は、速度計、エンジン回転計、水温計、燃料計を構成する指針式の計測値表示部と、車両状態に応じて入力される警報情報や報知情報に基づいて点灯する警告灯やウインカー表示部（発光表示部）と、光源からの光を受けて発光することで計測値表示部の輪郭を形成する装飾表示部とを備えており、警報情報や報知情報が入力すると、発光表示部を点灯させると共に装飾表示部も点灯または点滅させることにより、利用者の関心や注意を引くようにしている。
【特許文献１】特許第３５０１２０２号公報
【発明の開示】
【発明が解決しようとする課題】
【０００３】
しかしながら、前記公報記載の車両用表示装置は、警報情報や報知情報の入力に応じて装飾表示部を点灯または点滅させるに過ぎない構成であるため、注意喚起性は向上するが、警報または報知情報の判別性や識別性の点で改良の余地が残されていた。
【０００４】
本発明は、この点に鑑みてなされたもので、その主な目的は装飾表示部を活用して利用者の関心や注意を促すにあたり、警報または報知情報の判別性や識別性を向上させることが可能な車両用表示装置を提供するものである。
【課題を解決するための手段】
【０００５】
本発明は前記目的を達成するため、計測情報を表示する第１の表示部と、発光により報知情報または警報情報を表示する第２の表示部と、発光により装飾表示をなす装飾表示部とを備え、前記第２の表示部が発光色の異なる複数の発光表示部でなり、前記装飾表示部が前記発光表示部の発光色のうち少なくとも２つの発光色に対応する複数の色で発光可能に構成され、前記装飾表示部の発光色を前記発光表示部の発光色に応じて変化させることを特徴とする。
【０００６】
また本発明は、前記第２の表示部が第１の発光色で発光する複数の発光表示部を含み、これら第１の発光色で発光する複数の発光表示部が同時に発光するとき、前記装飾表示部が前記第１の発光色に対応した発光色で点滅発光することを特徴とする。
【０００７】
また本発明は、前記第１の発光色で同時に発光する前記発光表示部の数に応じて前記装飾表示部の点滅周期が変化することを特徴とする。
【０００８】
また本発明は、発光色の異なる前記発光表示部が同時に発光するとき、前記装飾表示部の発光色を前記発光表示部の発光色に応じて切り替えることを特徴とする。
【０００９】
また本発明は、前記第２の表示部が第１の発光色で発光する複数の第１の発光表示部と前記第１の発光色とは異なる第２の発光色で発光する複数の第２の発光表示部とを含み、複数の前記第１の発光表示部と複数の前記第２の発光表示部とが同時に発光するとき、前記装飾表示部の発光色を前記第１の発光色と前記第２の発光色に応じて切り替えると共に点滅発光することを特徴とする。
【００１０】
また本発明は、音を出力する聴覚情報出力手段をさらに備え、前記音の出力を前記装飾表示部の点滅に連動させることを特徴とする。
【００１１】
また本発明は、前記装飾表示部がその表面で光を反射することにより前記複数の色で発光する反射体からなることを特徴とする。
【００１２】
また本発明は、前記反射体が立体構造物からなることを特徴とする。
【発明の効果】
【００１３】
本発明によれば、初期の目的を達成でき、装飾表示部を活用して利用者の関心や注意を促すにあたり、警報または報知情報の判別性や識別性を向上させることが可能な車両用表示装置を提供することができる。
【発明を実施するための最良の形態】
【００１４】
図１から図７は本発明の一実施形態を示すもので、図１は本発明の一実施形態による車両用表示装置の正面図、図２は第２の表示部の要部を示す断面図、図３は第１の発光素子を示す正面図、図４は装飾表示部の斜視図、図５は本実施形態のシステム構成を示すブロック図、図６は制御手段が状態信号の入力に応じて実行する処理を示す図表、図７は第１，第２の発光素子の点滅周期と音出力手段の出力周期を示すタイミング図である。
【００１５】
本実施形態による車両用表示装置は、例えばエンジン回転数と車速からなる計測情報を表示する第１の表示部１と、発光により後述する報知情報または警報情報を表示する第２の表示部２と、発光により装飾表示をなす装飾表示部３と、これら第１，第２の表示部１，２及び装飾表示部３を動作させる制御手段４（図５参照）とを備えている。
【００１６】
第１の表示部１は、目盛１１等が施された表示板１２上で指針１３を回転動作させることによりエンジン回転数と車両の走行速度をアナログ表示する、所謂、指針式の表示ユニットからなり、指針１２は図示省略したモータ等の駆動装置によって角度運動する。なお第１の表示部１は、指針式に限らず、デジタル式の表示部であってもよい。
【００１７】
第２の表示部２は、図２に示すように、表示板２１に形成されたマーク、文字、図形からなる複数の表示部２２と、これら表示部２２の背後に配列される複数の発光素子（第１の発光素子）２３と、各表示部２２及び対応する各発光素子２３を区画するハウジング２４とで構成される発光表示部２５を複数、集中的に隣接配置したインジケータ装置からなり、各発光素子２３は独立点灯可能に設定されると共に任意の発光素子２３の点灯で対応する表示部２２を照明し、発光する表示部２２にて警報または報知情報を表示するものである。
【００１８】
表示部２２は、具体的には、図１に示すように、例えばサイドブレーキが作動中であることを示す第１の表示部２２ａと、シートベルトの非装着状態を示す第２の表示部２２ｂと、エンジンの点検が必要であることを示す第３の表示部２２ｃと、アンチロックブレーキシステムの異常を示す第４の表示部２２ｄと、ローフューエル状態を示す第５の表示部２２ｅと、クルーズ設定のオン状態を示す第６の表示部２２ｆと、フロントフォグランプの点灯を示す第７の表示部２２ｇと、ウインカーの指示方向を示す第８，第９の表示部２２ｈ，２２ｉとからなる。
【００１９】
また、発光素子２３は、例えば特定色光を発する発光ダイオードからなり、表示部２２に応じて発光色が異なっている。具体的には、図３に示すように、第１，第２の表示部２２ａ，２２ｂに対応する発光素子２３ａ，２３ｂは赤色に、第３〜第５の表示部２２ｃ〜２２ｅに対応する発光素子２３ｃ〜２３ｅはアンバー色に、第６〜第９の表示部２２ｆ〜２２ｉに対応する発光素子２３ｆ〜２３ｉは緑色にそれぞれ設定されている。従って、第１，第２の表示部２２ａ，２２ｂは、表示部自体またはその背景が赤色に発光し、第３〜第５の表示部２２ｃ〜２２ｅは、表示部自体またはその背景がアンバー色に発光し、第６〜第９の表示部２２ｆ〜２２ｉは、表示部自体またはその背景が緑色に発光する。
【００２０】
装飾表示部３は、図４に示すように、発光素子（第２の発光素子）３１と、この発光素子３１の光を導入することにより、この場合、円弧状に発光する透光体３２とで構成され、第１の表示部１を取り巻いて発光する輪郭を形成するものである。なお装飾表示部３は、一定の形状を有して発光するものであれば、任意の構成を採用でき、例えば発光素子３１と透光体３２に替えてＥＬ（エレクトルミネッセンス）を用いてもよいし、バックライティング可能な透過部にて装飾表示部を形成するプレート材を用いてもよい。また透光体３２の形状は円弧状に限らず、線状等の任意形状を選択できる。
【００２１】
発光素子３１は、例えばＲＧＢ（３原色）発光する３つの半導体発光素子を一つの素子としてパッケージングした複数色発光可能な発光ダイオードからなり、この場合、発光素子３１は、発光表示部２５の発光色に対応し、赤色、アンバー色、緑色に発光可能に構成されている。従って、発光素子３１の光を導入して発光する透光体３２の発光色も赤色、アンバー色、緑色となる。
【００２２】
制御手段４は、図５に示すように、例えば車体に設置された各種センサやＥＣＵ（エンジンコントロールユニット）からの状態信号や検出信号を受信する複数の入力端子４１を有する入力インターフェース４２と、入力インターフェース４２からの入力信号を処理し、第１の表示部１、第１，第２の発光素子２３，３１、ブザーからなる音出力素子（音出力手段）５を動作させる指令信号を出力するマイクロコンピュータ４３と、マイクロコンピュータ４３からの指令信号に応じて第１の表示部１、第１，第２の発光素子２３，３１、ブザーからなる音出力素子（音出力手段）５を動作させる駆動手段４４とから構成されている。なお図５において第１の表示部１、第１，第２の発光素子２３，３１をそれぞれ単数として簡略化して示すが、実際は複数備えられている。
【００２３】
入力端子４１は、少なくともサイドブレーキの作動状態に係わる状態信号Ｓ１を入力する端子と、シートベルトの非装着状態に係わる状態信号Ｓ２を入力する端子と、エンジン点検に係わる状態信号Ｓ３を入力する端子と、アンチロックブレーキシステムの異常に係わる状態信号Ｓ４を入力する端子と、ローフューエル状態に係わる状態信号Ｓ５を入力する端子、クルーズ設定のオン状態に係わる状態信号Ｓ６を入力する端子と、フロントフォグランプの点灯に係わる状態信号Ｓ７を入力する端子と、ウインカーの動作状態に係わる各状態信号Ｓ８，Ｓ９を入力する端子と、エンジン回転数及び車速に関する検出信号Ｓ１０を入力する端子とを備えている。
【００２４】
マイクロコンピュータ４３は、入力端子４１及び入力インターフェース４２を通じて入力する各種状態信号Ｓ１〜Ｓ９を入力信号として受信し、その入力信号に対応する発光表示部２５の一部を構成する第１の発光素子２３を駆動手段４４を通じて動作（点灯）させると同時に、装飾表示部３の一部を構成する第２の発光素子３１も駆動手段４４を通じて動作（点灯）させるが、具体的動作については後述する。またマイクロコンピュータ４３は、エンジン回転数及び車速に関する検出信号Ｓ１０を入力信号として受信し、検出信号に見合った角度分、第１の表示部１の一部を構成する指針１２を駆動手段４４を通じて回転動作させる。なお状態信号Ｓ１〜Ｓ９や検出信号Ｓ１０に応じた処理は、マイクロコンピュータ４３内に記憶されているプログラムに沿って行われる。またマイクロコンピュータ４３はＲＡＭやＲＯＭ等の記憶部を有し、この記憶部に処理プログラムや処理に必要なデータを格納するものである。
【００２５】
次に図６に基づいて、各状態信号の入力に応じて実行される制御手段４の処理を説明する。まず、図６において、ケース１は、状態信号として状態信号Ｓ１〜Ｓ７の何れか一つが入力した場合であり、この場合、第１の発光素子２３ａ〜２３ｇのうち、一つの発光素子２３ａ〜２３ｇが点灯し、その発光色は発光素子２３ａ〜２３ｇの何れかの点灯色である赤色、アンバー色、緑色となり、対応する表示部２２ａ〜２２ｇが赤色、アンバー色、緑色のどれか一つの色で発光する。このとき第２の発光素子３１は、発光素子２３ａ〜２３ｇの一つと同色か、または完全に同色ではないにしても略同色または同系色で、継続点灯し、これにより透光体３２も同様の色で発光し、利用者に注意や関心を促す。なおこの場合、音出力素子５による音出力は行われない。
【００２６】
ケース２は、状態信号として状態信号Ｓ１，Ｓ２双方が同時に入力した場合であり、この場合、発光色が同じ第１の発光素子２３ａ，２３ｂの双方が点灯し、その発光色は赤色となり、対応する表示部２２ａ，２２ｂも赤色で発光する。このとき第２の発光素子３１も発光素子２３ａ，２３ｂと同色か、また完全に同色ではないにしても略同色または同系色で点滅発光し、これにより透光体３２も同様の色で点滅発光し、利用者に注意や関心を促す。なおこの場合、音出力素子５による音出力は行われない。
【００２７】
ケース３は、状態信号として状態信号Ｓ３〜Ｓ５の全てが同時に入力した場合であり、この場合、発光色が同じ第１の発光素子２３ｃ〜２３ｅの全てが点灯し、その発光色はアンバー色となり、対応する表示部２２ｃ〜２２ｅもアンバー色で発光する。このとき第２の発光素子３１も第１の発光素子２３ｃ〜２３ｅと同色か、また完全に同色ではないにしても略同色または同系色で点滅発光し、これにより透光体３２も同様の色で点滅発光し、利用者に注意や関心を促す。なおこの場合、音出力素子５による音出力出力は行われない。また、第２の発光素子３１の点滅周期は、２つの状態信号Ｓ１，Ｓ２が入力したケース２の場合よりも短く設定されており、設定色の同じ表示部２２が複数点灯する場合は、その点灯数に応じて第２の発光素子３１の点滅周期を変化させている。
【００２８】
ケース４，５は各発光素子３１，２３の発光色は異なるが処理自体は、ケース２と同様であるので説明を省略する。
【００２９】
ケース６は、状態信号として状態信号Ｓ８またはＳ９の何れかが入力した場合であり、この場合、第１の発光素子２３ｈ，２３ｉ及び第２の発光素子３１は同色または同系色である緑色で且つケース２と同様の周期で点滅すると共に、音出力素子５を通じてウインカー音の音出力が行われ、第１の発光素子２３ｈ，２３ｉ及び第２の発光素子３１の点滅周期は、音出力素子５の音出力のオンオフ周期に連動するようになっており、この例では、図７に示す通り、点滅と音出力のオンオフ周期が合致している。
【００３０】
ケース７は、状態信号として状態信号Ｓ１，Ｓ２の何れか一つ及び状態信号Ｓ３〜Ｓ５の何れか一つが入力した場合であり、この場合、第１の発光素子２３ａ，２３ｂの何れか一つが赤色で、第１の発光素子２３ｃ〜２３ｅの何れか一つがアンバー色で発光し、対応する表示部２２ａ，２２ｂの何れか一つが赤色で、表示部２２ｃ〜２２ｅの何れか一つがアンバー色で発光する。このとき第２の発光素子３１は、第１の発光素子２３ａ，２３ｂの何れかと同じ赤色と、第１の発光素子２３ｃ〜２３ｅの何れか一つと同じアンバー色とで交互に切替発光され、これにより透光体３２も同様に切替発光され、利用者に注意や関心を促す。なおこの場合、音出力素子５による音出力は行われない。
【００３１】
ケース７は、状態信号として状態信号Ｓ１〜Ｓ４の全てが同時に入力した場合であり、この場合、第１の発光素子２３ａ〜２３ｄの全てが赤色及びアンバー色で発光し、対応する表示部２２ａ〜２２ｄも同様に発光する。このとき第２の発光素子３１は、第１の発光素子２３ａ，２３ｂと同じ赤色と、第１の発光素子２３ｃ〜２３ｄと同じアンバー色とで交互に切り替えて点滅発光され、利用者に注意や関心を促す。なおこの場合、音出力素子５による音出力は行われない。
【００３２】
以上のように本実施形態によれば、計測情報を表示する第１の表示部１と、発光により報知情報または警報情報を表示する第２の表示部２と、発光により装飾表示をなす装飾表示部３とを備え、第２の表示部２が発光色の異なる複数の発光表示部２５でなり、装飾表示部３が発光表示部２５の発光色のうち複数の発光色に対応する複数色で発光可能に構成され、装飾表示部３の発光色を発光表示部２５の発光色に応じて変化させることにより、装飾表示部３を活用して利用者の関心や注意を促すにあたり、装飾表示部３の発光色を発光表示部２５の発光色に応じて変化するため、警報または報知情報の判別性や識別性を向上させることができ、また装飾表示部３の色変化を通じて装飾性が向上し、斬新性を高めることができる。
【００３３】
また本実施形態によれば、第２の表示部２が所定色（第１の発光色）で発光する複数の発光表示部２５を含み、これら所定色で発光する複数の発光表示部２５が同時に発光するとき（図６中、ケース２〜６参照）、装飾表示部３が所定色に対応した発光色で点滅発光することにより、状況に応じて発光形態が変化するため、利用者に対してより関心や注意を促すことができ、また状況判別性を高めることができる。また装飾表示部３の点滅を通じて装飾性、斬新性をより一層高めることができる。
【００３４】
また本実施形態によれば、所定色（第１の発光色）で同時に発光する発光表示部２５の数に応じて装飾表示部３の点滅周期が変化する（図６中、ケース３参照）ことにより、利用者に対してより一層、関心や注意を促すことができ、また状況判別性を高めることができる。また装飾表示部３の点滅周期変化を通じて装飾性、斬新性をより一層高めることができる。
【００３５】
また本実施形態によれば、発光色の異なる発光表示部２５が同時に発光するとき、装飾表示部３の発光色を発光表示部２５の発光色に応じて切り替える（図６中、ケース７，８参照）ことにより、利用者に対してより一層、関心や注意を促すことができ、また状況判別性を高めることができる。また装飾表示部３の色切替を通じて装飾性、斬新性をより一層高めることができる。
【００３６】
また本実施形態によれば、第２の表示部２が第１の発光色で発光する複数の第１の発光表示部２５と第１の発光色とは異なる第２の発光色で発光する複数の第２の発光表示部２５とを含み、複数の第１の発光表示部２５と複数の第２の発光表示部２５とが同時に発光するとき、装飾表示部３の発光色を第１の発光色と第２の発光色に応じて切り替えると共に点滅発光する（図６中、ケース８参照）ことにより、利用者に対してより一層、関心や注意を促すことができ、また状況判別性を高めることができる。また装飾表示部３の色切替点滅を通じて装飾性、斬新性をより一層高めることができる。
【００３７】
また本実施形態によれば、音を出力するブザー（聴覚情報出力手段）をさらに備え、音の出力を装飾表示部３の点滅に連動させることにより、利用者に対してより一層、関心や注意を促すことができる。
【００３８】
なお本実施形態では、第１の発光素子２３として、赤色、アンバー色、緑色の発光ダイオードを用いたが、白色の発光ダイオード（発光ダイオード以外の発光素子でもよい）の光を色フィルタで赤色、アンバー色、緑色等に着色しても良い。
【００３９】
また本実施形態では、第２の発光素子３１として、ＲＧＢ素子を単体パッケージした発光ダイオードを用いたが、このような単体パッケージに替えてＲＧＢで発光する発光ダイオード（白色タイプのものを着色しても良い）を３個設けてもよいし、発光表示部２５の発光色に対応した色を混色合成ではなく専用の発光素子を設けることで実現するようにしても良い。
【００４０】
また本実施形態では、車両用表示装置に組み込まれる制御手段４に状態信号を入力させ、制御手段４の処理プログラムに基づいて第２の表示部２と装飾表示部３を動作させたが、装飾表示部３の発光色を第２の表示部２の発光色に応じて変化させることができれば、そのシステム構成は任意に設定でき、例えば車体側ＥＣＵにて第２の表示部２と装飾表示部３とを動作させても良いし、第２の表示部２は車体側ＥＣＵで動作させ、装飾表示部３は制御手段４で動作させても良い。但し、第２の表示部２と装飾表示部３の動作制御を異なる制御ユニットにて行う場合は、信号ラインの分岐や中継等が必要である。
【００４１】
図８及び図９は、本発明の他の実施形態を示すもので、図８は車両用表示装置の正面図、図９は装飾表示部と第２の発光素子の斜視図である。
【００４２】
本実施形態では、前記実施形態の透光体３２からなる装飾表示部３に替えて、反射体３３からなる装飾表示部３を採用したもので、その他の構成は、前記実施形態と同様である。
【００４３】
本実施形態にて装飾表示部３をなす反射体３３は、例えば遮光性合成樹脂によって三角柱形状（図９参照）の立体構造物に形成され、表示板１２上に配置されている。また反射体３３の表面には、例えばシルバーメタリック色調の反射層３４が塗装や蒸着等の手段により形成されており、発光素子３１からの光を反射層３４で反射することにより棒状の装飾表示をなすものである。
【００４４】
この場合、発光素子３１は、前記実施形態と同様、ＲＧＢ素子を単体パッケージした複数色発光可能な発光ダイオードからなり、遮蔽板やカバー等の隠蔽部材２６を通じて観察者から不可視となる位置に複数配置されている。そして、これら発光素子３１の発光色は、前記実施形態と同様、制御手段４（図示しない）を通じ、発光表示部２５の発光色に応じて変化するよう構成されている。従って、発光素子３１の色変化にて反射層３４で反射される光の色も変化し、この例では、反射層３４はシルバーメタリック調であるので、その発光色（反射色）は、色としては発光素子３１の発光色と同じであるが、メタリック調を帯びて視認されることになる。
【００４５】
以上のように構成される本実施形態によっても前記実施形態と同様のメリットを期待できる他、装飾表示部３が発光素子３１によって間接照明される反射体３３からなることにより、装飾表示部３を構成する加飾部材の質感を表現することができ、これにより装飾性を高めることができる。また反射体３３を立体造形物から形成することにより、立体造形を表現でき、これによっても装飾性を高めることができる。
【００４６】
なお本実施形態では、反射体３３を三角柱からなる棒状とし、表面にシルバーメタリック調の反射層３４を形成する例を示したが、反射体３３は棒状に限らず、例えばリング形状やＵ字形状等の適宜形状を採用でき、またその横断面形状も前記実施形態のごとき三角形状に限らず、各種多角形状、丸型形状の等の適宜形状を採用でき、またその表面形状についても、単なる平面ではなく各種凹凸模様等を施しても良く、更に反射層３４の採用や色調も任意である。
【００４７】
なお装飾表示部３の変形例として図示しないが、例えばハーフミラー（透過型反射部材）や反射鏡（反射部材）等を用い、発光素子によって形成される発光像を装飾表示部として、計測情報を表示する第１の表示部上またはその領域内に表示してもよい。
【００４８】
また発光素子の発光パターンとして、図示しないが、発光素子を複数設ける場合、各発光素子を所定の順序にて点消灯させ、光が移動するように発光させてもよい。例えば第２の表示部の発光色が赤色の場合、装飾表示部を照らす各発光素子の色は、赤色となるが、この際、全ての発光素子を同時に点灯させるのではなく、所定の順序にて点消灯させ、光が移動するように発光させれば、誘目性を高めることができる。
【図面の簡単な説明】
【００４９】
【図１】本発明の一実施形態による車両用表示装置の正面図。
【図２】同実施形態による第２の表示部の要部を示す断面図。
【図３】同実施形態による第１の発光素子を示す正面図。
【図４】同実施形態による装飾表示部と第２の発光素子の斜視図。
【図５】同実施形態のシステム構成を示すブロック図。
【図６】同実施形態において制御手段が状態信号の入力に応じて実行する処理を示す図表。
【図７】同実施形態における第１，第２の発光素子の点滅周期と音出力手段の出力周期を示すタイミング図。
【図８】本発明の他の実施形態による車両用表示装置の正面図。
【図９】同実施形態による装飾表示部と第２の発光素子の斜視図。
【符号の説明】
【００５０】
１  第１の表示部
２  第２の表示部
３  装飾表示部
４  制御手段
５  音出力素子（音出力手段）
１１  目盛
１２  表示板
１３  指針
２２，２２ａ〜２２ｉ  表示部（第１〜第９の表示部）
２３，２３ａ〜２３ｉ  発光素子（第１の発光素子）
２４  ハウジング
２５  発光表示部
２６  隠蔽部材
３１  発光素子（第２の発光素子）
３２  透光体
３３  反射体
３４  反射層
４１  入力端子
４２  入力インターフェース
４３  マイクロコンピュータ
４４  駆動手段
３３  反射体
Ｓ１〜Ｓ９  状態信号
Ｓ１０  検出信号
【図１】
2005331493.tif 000003
【図２】
2005331493.tif 000004
【図３】
2005331493.tif 000005
【図４】
2005331493.tif 000006
【図５】
2005331493.tif 000007
【図６】
2005331493.tif 000008
【図７】
2005331493.tif 000009
【図８】
2005331493.tif 000010
【図９】
2005331493.tif 000011